(57)【要約】      （修正有）【課題】トルク検知表示タイプのトルクスパナの提供。【解決手段】ハンドルの片端に連結部が設けられ、スパナユニットの片端に挿入部が設置されている。この挿入部はハンドルの連結部に対応して接続しており、且つボルトで締められるか取り外せるようになっている。これで、スパナユニットはハンドルと接続できるか、交換のために取り外せるようになる。トルク検知装置はハンドルに設置され、スパナユニットに力が入れられる時に変形量の検知信号を生成する。トルク表示ユニットはハンドルとスパナユニットとの間に設けられ、且つトルク表示ユニット内に表示処理回路が設置されている。この表示処理回路はトルク検知装置と接続し、トルク検知装置が生成した検知信号を入力する。また、そのトルク検知信号のトルク値を処理したり、表示したりする。これで、スパナユニットの実際トルク値が同期に表示できる。【選択図】図１
0003135043.tif 000002
【実用新案登録請求の範囲】
【請求項１】
ハンドル、スパナユニット、一つ以上のトルク検知装置及び一つ以上の表示ユニットを含み、
該ハンドルは片端に連結部が設けられ、
該スパナユニットは片端に挿入部が設けられ、挿入部はハンドルの連結部に対応して結合し、
該一つ以上のトルク検知装置はハンドルの片端に取り付けられており、機械変形量に基づき、対応する検知信号を生成し、トルク検知装置を、ハンドルが対応するスパナユニットの実際のトルク値に基づいて検知信号を生成させ、そして、
該一つ以上の表示ユニットガイドはハンドルの連結部とスパナユニットの挿入部の連結する箇所に取り付けられており、且つトルク表示ユニットはトルク検知装置と接続しており、検知信号を入力する。しかも、その検知信号を変換して処理してから、ハンドル及びスパナユニットとの間に対応している力のトルク値を表示することを特徴とするトルク検知表示タイプのトルクスパナ。
【請求項２】
当該ハンドルの連結部はスリーブであることを特徴とする請求項１記載のトルク検知表示タイプのトルクスパナ。
【請求項３】
当該ハンドルの連結部の上下両端にはそれぞれのネジ穴が設けられていることを特徴とする請求項１記載のトルク検知表示タイプのトルクスパナ。
【請求項４】
当該ハンドルの片端に貫通穴が設けられていることを特徴とする請求項１記載のトルク検知表示タイプのトルクスパナ。
【請求項５】
当該貫通穴内部に定位ピンが突き抜けていることを特徴とする請求項４記載のトルク検知表示タイプのトルクスパナ。
【請求項６】
当該定位ピンの上下両端はそれぞれに上部ケースと下部ケースを連結していることを特徴とする請求項５記載のトルク検知表示タイプのトルクスパナ。
【請求項７】
当該スパナユニットはトルクスパナであることを特徴とする請求項１記載のトルク検知表示タイプのトルクスパナ。
【請求項８】
当該スパナユニットの挿入部は長い栓となっていることを特徴とする請求項１記載のトルク検知表示タイプのトルクスパナ。
【請求項９】
当該スパナユニットの挿入部にネジ穴が設けられていることを特徴とする請求項１記載のトルク検知表示タイプのトルクスパナ。
【請求項１０】
当該トルク表示ユニットは下部ケース、中央ケース、表示制御回路、上部ケース及び透明パネルを含み、
該下部ケースは前述のスパナユニットの挿入部とハンドルの連結部が接合する箇所に覆うように取り付けられ、
該中央ケースは下部ケースの上方に取り付けえられており、下部ケースと共に前述のスパナユニットの挿入部とハンドルが接続する箇所に覆うように取り付けられ、
該表示制御回路は中央ケースの上方に取り付けられており、この表示制御回路はトルク検知装置と連結しており、検知信号を入力して変換し、そして対応のトルク数値を表示し、該上部ケースは中央ケースに連結しており、表示制御回路を覆い、
該透明パネルは上部ケースの表面に設けられていることを特徴とする請求項１記載のトルク検知表示タイプのトルクスパナ。
【請求項１１】
当該下部ケースの片端に弧状口が設けられていることを特徴とする請求項１０記載のトルク検知表示タイプのトルクスパナ。
【請求項１２】
当該下部ケースの片端に通し穴が設けられていることを特徴とする請求項１０記載のトルク検知表示タイプのトルクスパナ。
【請求項１３】
当該中央ケースの片端に弧状口が設けられていることを特徴とする請求項１０記載のトルク検知表示タイプのトルクスパナ。
【請求項１４】
当該下部ケースの片端にネジ穴が設けられていることを特徴とする請求項１０記載のトルク検知表示タイプのトルクスパナ。
【請求項１５】
当該表示制御回路は信号変換インターフェース、マイクロプロセッサ、数個のボタン、メモリー、表示駆動回路、ディスプレイ及び電源デバイスを含み、
該信号変換インターフェースはトルク検知装置に接続し、検知信号を出力し、そして、検知信号を該当のトルクデジタル信号に変えて出力し、
該マイクロプロセッサは信号変換インターフェースに接続し、トルクデジタル信号を入力し、そのトルクデジタル信号に基づいてトルク表示信号を出力し、
該数個のボタンはマイクロプロセッサに接続しており、各ボタンの入力でマイクロプロセッサに対して表示制御信号を入力することにより、マイクロプロセッサを、該当するトルク数値の表示操作機能を執行させ、
該メモリーはマイクロプロセッサに接続しており、測定と表示がされたトルク数値資料を保存し、
該表示駆動回路はマイクロプロセッサに接続しており、マイクロプロセッサが出力したトルク表示信号を受信し、表示駆動回路を、表示駆動信号を表示させ、
該ディスプレイは表示駆動回路に接続しており、表示駆動信号を受信し、ディスプレイを、そのトルク数値を表示させ、
該電源デバイスは前述の信号変換インターフェース、マイクロプロセッサ、各ボタン、メモリー、表示駆動回路、ディスプレイが必要とする直流稼動電源を提供していることを特徴とする請求項１０記載のトルク検知表示タイプのトルクスパナ。
【請求項１６】
当該ディスプレイは液晶ディスプレイであることを特徴とする請求項１５記載のトルク検知表示タイプのトルクスパナ。
【請求項１７】
当該電源デバイスは直流電池であることを特徴とする請求項１５記載のトルク検知表示タイプのトルクスパナ。
【考案の詳細な説明】
【技術分野】
【０００１】
本考案はトルク検知表示タイプのトルクスパナに関するものであり、特に、トルクスパナへの応用、異なるスパナの取替え、そして、トルクスパナのトルク値の同期表示ができるトルクスパナを指している。
【背景技術】
【０００２】
トルクスパナは機械の組立や点検に多くに使われ、機械や部品上の各ネジの取り締めや取り外しに使用されるのもである。しかし、部分の高精密度が要求される機械において、ネジの取外しには一定の手順及び適切なトルク操作が要求される。悪い操作はネジの割れや損害を招いたり、機械本体の操作機能及び精密度に悪影響を与えてしまったりすることがある。従来のトルクスパナは、力で操作する際にトルクの検知と表示する機能を持たないため、使用者は実際の力のトルク値が分からず、経験でトルクスパナを操作するしかない。それで、人為的なトルク操作不当の問題が生じることがある。また、従来のトルク検知装置でトルクスパナのトルク値を直接に検知して表示することにより、トルク値を表示することはできるが、トルクスパナとトルク検知装置との間の設置と接続は困難であり、実際の応用操作には不便があるため、産業界に直接に利用してもらうことはできない。
【考案の開示】
【考案が解決しようとする課題】
【０００３】
以上の理由で、本考案の主要目的は一種のトルク検知表示タイプのトルクスパナを提供し、―つ以上のトルク検知装置及びトルク表示ユニットで、ハンドルとスパナユニットの間に取り付けることにより、トルクスパナの実際トルク値を同期に表示させることにある。
【０００４】
本考案にはもう一つの目的がある。それは、一種のトルク検知表示タイプのトルクスパナを提供し、スパナユニットとハンドルとの間をボルトで締めたり、取り外したりすることにより、異なるスパナの取替えができるようにすることにある。
【０００５】
前述の目的を達成するため、本考案のトルク検知表示タイプのトルクスパナは、ハンドル、スパナユニット、―つ以上のトルク検知装置及びトルク表示ユニットを含めている。その中、当該ハンドルの片端に連結部があり、スパナユニットの片端に挿入部がある。挿入部は連結部に対応して接続しており、且つボルトによる締めや取外しができるため、スパナはハンドルとの連結や取外しができる。そして、トルク検知装置はハンドルに設けられており、スパナユニットに力が入れられた時に変形量の検知信号を生成する。トルク表示ユニットはハンドルとスパナユニットとの間に連結しており、且つトルク表示ユニット内に表示処理回路が設けられている。この表示処理回路はトルク検知装置に接続しており、トルク検知装置が生成した検知信号を入力し、そして、そのトルク検知信号に相当するトルク値を処理して表示する。これで、スパナユニットの実際のトルク値は同期に表示され、スパナ操作の実際のトルク値を表示するという本考案の効果が実現される。
【課題を解決するための手段】
【０００６】
請求項１の考案は、ハンドル、スパナユニット、一つ以上のトルク検知装置及び一つ以上の表示ユニットを含み、
該ハンドルは片端に連結部が設けられ、
該スパナユニットは片端に挿入部が設けられ、挿入部はハンドルの連結部に対応して結合し、
該一つ以上のトルク検知装置はハンドルの片端に取り付けられており、機械変形量に基づき、対応する検知信号を生成し、トルク検知装置を、ハンドルが対応するスパナユニットの実際のトルク値に基づいて検知信号を生成させ、そして、
該一つ以上の表示ユニットガイドはハンドルの連結部とスパナユニットの挿入部の連結する箇所に取り付けられており、且つトルク表示ユニットはトルク検知装置と接続しており、検知信号を入力する。しかも、その検知信号を変換して処理してから、ハンドル及びスパナユニットとの間に対応している力のトルク値を表示することを特徴とするトルク検知表示タイプのトルクスパナとしている。
請求項２の考案は、当該ハンドルの連結部はスリーブであることを特徴とする請求項１記載のトルク検知表示タイプのトルクスパナとしている。
請求項３の考案は、当該ハンドルの連結部の上下両端にはそれぞれのネジ穴が設けられていることを特徴とする請求項１記載のトルク検知表示タイプのトルクスパナとしている。
請求項４の考案は、当該ハンドルの片端に貫通穴が設けられていることを特徴とする請求項１記載のトルク検知表示タイプのトルクスパナとしている。
請求項５の考案は、当該貫通穴内部に定位ピンが突き抜けていることを特徴とする請求項４記載のトルク検知表示タイプのトルクスパナとしている。
請求項６の考案は、当該定位ピンの上下両端はそれぞれに上部ケースと下部ケースを連結していることを特徴とする請求項５記載のトルク検知表示タイプのトルクスパナとしている。
請求項７の考案は、当該スパナユニットはトルクスパナであることを特徴とする請求項１記載のトルク検知表示タイプのトルクスパナとしている。
請求項８の考案は、当該スパナユニットの挿入部は長い栓となっていることを特徴とする請求項１記載のトルク検知表示タイプのトルクスパナとしている。
請求項９の考案は、当該スパナユニットの挿入部にネジ穴が設けられていることを特徴とする請求項１記載のトルク検知表示タイプのトルクスパナとしている。
請求項１０の考案は、当該トルク表示ユニットは下部ケース、中央ケース、表示制御回路、上部ケース及び透明パネルを含み、
該下部ケースは前述のスパナユニットの挿入部とハンドルの連結部が接合する箇所に覆うように取り付けられ、
該中央ケースは下部ケースの上方に取り付けえられており、下部ケースと共に前述のスパナユニットの挿入部とハンドルが接続する箇所に覆うように取り付けられ、
該表示制御回路は中央ケースの上方に取り付けられており、この表示制御回路はトルク検知装置と連結しており、検知信号を入力して変換し、そして対応のトルク数値を表示し、該上部ケースは中央ケースに連結しており、表示制御回路を覆い、
該透明パネルは上部ケースの表面に設けられていることを特徴とする請求項１記載のトルク検知表示タイプのトルクスパナとしている。
請求項１１の考案は、当該下部ケースの片端に弧状口が設けられていることを特徴とする請求項１０記載のトルク検知表示タイプのトルクスパナとしている。
請求項１２の考案は、当該下部ケースの片端に通し穴が設けられていることを特徴とする請求項１０記載のトルク検知表示タイプのトルクスパナとしている。
請求項１３の考案は、当該中央ケースの片端に弧状口が設けられていることを特徴とする請求項１０記載のトルク検知表示タイプのトルクスパナとしている。
請求項１４の考案は、当該下部ケースの片端にネジ穴が設けられていることを特徴とする請求項１０記載のトルク検知表示タイプのトルクスパナとしている。
請求項１５の考案は、当該表示制御回路は信号変換インターフェース、マイクロプロセッサ、数個のボタン、メモリー、表示駆動回路、ディスプレイ及び電源デバイスを含み、
該信号変換インターフェースはトルク検知装置に接続し、検知信号を出力し、そして、検知信号を該当のトルクデジタル信号に変えて出力し、
該マイクロプロセッサは信号変換インターフェースに接続し、トルクデジタル信号を入力し、そのトルクデジタル信号に基づいてトルク表示信号を出力し、
該数個のボタンはマイクロプロセッサに接続しており、各ボタンの入力でマイクロプロセッサに対して表示制御信号を入力することにより、マイクロプロセッサを、該当するトルク数値の表示操作機能を執行させ、
該メモリーはマイクロプロセッサに接続しており、測定と表示がされたトルク数値資料を保存し、
該表示駆動回路はマイクロプロセッサに接続しており、マイクロプロセッサが出力したトルク表示信号を受信し、表示駆動回路を、表示駆動信号を表示させ、
該ディスプレイは表示駆動回路に接続しており、表示駆動信号を受信し、ディスプレイを、そのトルク数値を表示させ、
該電源デバイスは前述の信号変換インターフェース、マイクロプロセッサ、各ボタン、メモリー、表示駆動回路、ディスプレイが必要とする直流稼動電源を提供していることを特徴とする請求項１０記載のトルク検知表示タイプのトルクスパナとしている。
請求項１６の考案は、当該ディスプレイは液晶ディスプレイであることを特徴とする請求項１５記載のトルク検知表示タイプのトルクスパナとしている。
請求項１７の考案は、当該電源デバイスは直流電池であることを特徴とする請求項１５記載のトルク検知表示タイプのトルクスパナとしている。
【考案の効果】
【０００７】
本考案のトルク検知表示タイプのトルクスパナを提供し、一つ以上のトルク検知装置及びトルク表示ユニットで、ハンドルとスパナユニットの間に取り付けることにより、トルクスパナの実際トルク値を同期に表示させることにある。スパナユニットとハンドルとの間をボルトで締めたり、取り外したりすることにより、異なるスパナの取替えができるようにすることにある。
【考案を実施するための最良の形態】
【０００８】
まず、図１、図２及び図３は、本考案のトルク検知表示タイプのトルクスパナ１００の第一実施例である。その中、当該トルクスパナ１００はハンドル１０、スパナユニット２０、―つ以上のトルク検知装置３０及びトルク表示ユニット４０を含めている。当該ハンドル１０の片端に連結部１１を設け、当該連接部１１の形式には制限がないが、本考案ではスリーブを例に挙げている。連結部１１の上下両端にはそれぞれのネジ穴１１１があり、ハンドル１０の他端に貫通穴１２がある。この貫通穴１２に定位ピン１２１が通しており、定位ピン１２１の上下両端に上部ケース１２２と下部ケース１２３がそれぞれに取り付けられ、上部ケース１２２と下部ケース１２３がハンドル１０の上下両端を覆うようになっている。これにより、使用者は上部ケース１２２と下部ケース１２３を握り、力を入れた操作することができる。
【０００９】
スパナユニット２０の片端に挿入部２１を設け、その上にネジ穴２１１が設けられている。挿入部２１は保護パッキン２１２が取り付けられている。当該挿入部２１の形式には制限がないが、本考案では長い栓を例にしている。この挿入部２１はハンドル１０の連結部１１に対応して結合し、そして、ネジ穴２１１をハンドル１０の連結部１１のネジ穴１１１と対応させ、且つ保護パッキン２１２を、挿入部２１と連結部１１が接合する箇所に連結させている。前述のスパナユニット２０の形式には制限がないが、本考案ではラチェットや歯車が設けられたトルクスパナを例に挙げている。
【００１０】
トルク検知装置３０はハンドル１０の片端に取り付けられており、当該トルク検知装置３０は機械の変形量によって対応する検知信号を生成し、そして、当該トルク検知装置３０はハンドル１０がスパナユニット２０に対応する実際のトルク値に基づき、検視信号３１(図４のように)を生成して出力する。  
【００１１】
前述のトルク表示ユニット４０は、下部ケース４１、中央ケース４２、表示制御回路４３、上部ケース４４及び透明パネル４５を含めている。その中、下部ケース４１と中央ケース４２は、前述のスパナユニット２０の挿入部２１とハンドル１０の連結部１１と結合する箇所を覆うように繋いでいる。且つ中央ケース４２は下部ケース４１の上方にあり、当該下部ケース４１の方端には弧状口４１１と通し穴４１２が設けられ、当該中央ケース４２の片端には弧状口４２１とネジ穴４２２が設けられ、当該弧状口４１１と４２１は保護パッキン２１２の固定に供される。当該通し穴４１２、ネジ穴４２２はネジ穴１１１と照準しながら、ボルト１１２で取り締まりや取外しができるため、スパナユニット２０はハンドル１０との連結や交換のための取外しができる。このボルト１１２でハンドル１０、スパナユニット２０、下部ケース４１及び中央ケース４２を締めることにより、ハンドル１０、スパナユニット２０、下部ケース４１と中央ケース４２の固定と結合できる。同様に、ボルト１１２での取外しで、ハンドル１０、スパナユニット２０、下部ケース４１と中央ケース４２を取り外して分離することもできる。前述の下部ケース４１内に収納スペース４１３が設けられ、中央ケース４２内にも収納スペース４２３が設けられている。
【００１２】
さらに図４の前述の表示制御回路４３に関する具体実施例を配して説明する。前実施例はあくまでも表示制御回路４３の実施と操作方法を説明するのに挙げられ、本考案の範囲を制限するものではない。その中、当該表示制御回路４３は中央ケース４２の頂上に固定されており、当該表示制御回路４３は信号変換インターフェース４３１、マイクロプロセッサ４３２、数個のボタン４３３１〜４３３５、メモリー４３４、表示駆動回路４３５、ディスプレイ４３６及び電源デバイス４３７を含めている。信号変換インターフェース４３１はトルク検知装置３０に連結し、検知信号３１を入力し、検知信号３１を対応のトルクデジタル信号４３１１に変えて出力する。
【００１３】
マイクロプロセッサ４３２は信号変換インターフェース４３１に連結し、トルクデジタル信号４３１１を入力し、そして、トルクデジタル信号４３１１に基づいてトルク表示信号４３２１を出力する。
【００１４】
前述のボタン４３３１〜４３３５はマイクロプロセッサ４３２に連結し、電源、明るさ、保存、単位変換及び読取などの表示操作機能をそれぞれに表している。ボタン４３３１〜４３３５でマイクロプロセッサ４３２に対して表示制御信号を入力し、マイクロプロセッサ４３２に該当のトルク数値の表示操作機能を執行させる。
【００１５】
メモリー４３４はマイクロプロセッサ４３２に連結しており、トルク数値の測定と表示資料を保存する。
【００１６】
表示駆動回路４３５はマイクロプロセッサ４３２に連結し、マイクロプロセッサ４３２が出力したトルク表示信号４３２１を受信し、表示駆動回路４３５を表示駆動信号４３５１を出力させる。
【００１７】
ディスプレイ４３６は表示駆動回路４３５に連結し、表示駆動信号４３５１を受け取り受信し、ディスプレイ４３６を、トルク数値を表示させる。ディスプレイ４３６の形式には制限がなく、本考案では液晶ディスプレイを例に挙げているが、他にLEDディスプレイのようなものでも本考案の範囲に属している。
【００１８】
電源デバイス４３７は前述の信号変換インターフェース４３１、マイクロプロセッサ４３２、数個のボタン４３３１〜４３３５、メモリー４３４、表示駆動回路４３５、ディスプレイ４３６が必要とする直流稼動電源を提供している。この電源デバイス４３７は前述の下部ケース４１の収納スペース４１３及び中央ケース４２の収納スペース４２３の間に固定されいる。電源デバイス４３７の形式には制限がないが、本考案では直流電池を例にしている。
【００１９】
前述の上部ケース４４は中央ケース４２の上方に連結し、表示制御回路４３が上部ケース４４によって覆われるようにする。上部ケース４４には表示ウインドウ４４１及び数個のボタン穴４４２〜４４６が設けられているので、表示制御回路４３のディスプレイ４３６と各ボタン４３３１〜４３３５が上部ケース４４の表面に露出するようになっている。
【００２０】
前述の透明パネル４５は上部ケース４４の表面に貼り付けられており、透明パネル４５表面に数個のボタンの表示４５１〜４５５があり、上部ケース４４表面に露出するボタン４３３１〜４３３５に対応している。
【００２１】
さらに図５の本考案のトルクスパナ１００の第二実施例を参照する。その中、ボルト１１２の取外しでハンドル１０、スパナユニット２０、下部ケース４１と中央ケース４２を取り外して分離し、異なるスパナユニット２０’を取り替える。つまり、異なるタイプのネジや形のトルクスパナを換えることである。異なるトルクユニット２０を取り替えることにより、各種の操作の場合におけるトルク数値を表示して保存することができる。
【図面の簡単な説明】
【００２２】
【図１】本考案のトルク検知表示タイプのトルクスパナの第一実施例の範例図。
【図２】図１のもう一つの立体外見構造図。
【図３】図１の立体分解構造図。
【図４】本考案におけるトルク表示ユニットの表示制御回路のブロック回路図。
【図５】本考案のトルク検知表示タイプのトルクスパナの第二実施例の範例図。
【符号の説明】
【００２３】
１００    トルクスパナ
１０      ハンドル
１１      連結部
１１１    ネジ穴
１１２    ボルト
１２      貫通穴
１２１  定位ピン
１２２    上部ケース
１２３    下部ケース
２０      スパナユニット
２１      挿入部
２１１    ネジ穴
２１２    保護パッキン
３０      トルク検知装置
３１      検知信号
４０      トルク表示ユニット
４１      下部ケース
４１１    弧状口
４１２    通し穴
４１３    収納スペース
４２      中央ケース
４２１    弧状口
４２２    ネジ穴
４２３    収納スペース
４３      表示制御回路
４３１    信号変換インターフェース
４３１１  トルクデジタル信号
４３２    マイクロプロセッサ
４３２１  トルク表示信号
４３３１、４３３２、４３３３、４３３４、４３３５  ボタン
４３４    メモリー
４３５    表示駆動回路
４３５１  表示駆動信号
４３６    ディスプレイ
４３７    電源デバイス
４４      上部ケース
４４１    表示ウインドウ
４４２、４４３、４４４、４４５、４４６  ボタン穴
４５      透明パネル
４５１、４５２、４５３、４５４、４５５  ボタンの表示
【図１】
0003135043.tif 000003
【図２】
0003135043.tif 000004
【図３】
0003135043.tif 000005
【図４】
0003135043.tif 000006
【図５】
0003135043.tif 000007